(57)【要約】【課題】馬の前肢や後肢から外れることを防止した加圧用具を提供する。【解決手段】馬の肢、例えば前腕又は下腿のまわりに装着して肢を加圧する加圧部材１０Ｃと、落下しないよう馬の体の一部に掛けられていて、加圧ベルト１０Ｃを馬の肢に保持する保持部材２５と、を備え、保持部材２５は、前腕の腕節などの関節に掛かるよう設けられる取付部２５１と、この取付部２５１から上方へ延びて加圧部材１０Ｃを支持する加圧支持部２５２と、を備えている。【選択図】図１３
2017209107.tif 000002
【特許請求の範囲】
【請求項１】
馬の肢まわりに装着して上記肢を加圧する加圧部材と、
落下しないよう上記馬の体の一部に掛けられていて、上記加圧ベルトを上記馬の肢に保持する保持部材と、を備えたことを特徴とする、加圧用具。
【請求項２】
上記保持部材は、前腕の腕節などの関節に掛かるよう設けられる取付部と、この取付部から上方へ延びて上記加圧部材を支持する加圧支持部と、を備えていることを特徴とする、請求項１に記載の加圧用具。
【請求項３】
上記取付部が上記加圧部材の一部で構成されていることを特徴とする、請求項２に記載の加圧用具。
【請求項４】
馬の左右の前腕又は左右の下腿のまわりに、それぞれ装着して左右の肢を加圧する加圧部材と、
左の上腕側から右の上腕側へ亘って又は左の後膝側から右の後膝側へ亘って上記馬の胴体に掛けられて、上記加圧ベルトを上記馬の左右の肢に保持する保持部材と、を備えたことを特徴とする、加圧用具。
【請求項５】
上記保持部材を上記加圧部材に寄せるように、上記馬の左右の肢にそれぞれ掛けるループ部材を備えたことを特徴とする、請求項４に記載の加圧用具。
【請求項６】
上記加圧部材が連結部材を介して着脱自在に上記保持部材に取り付けられることを特徴とする、請求項４又は請求項５に記載の加圧用具。
【請求項７】
上記保持部材は、上記馬の胴体の上に掛ける胴体掛け部と、上記胴体掛け部より幅狭に形成されていて上記胴体掛け部の左右の端からそれぞれ延びた垂れ下り部と、から構成されていることを特徴とする、請求項４から請求項６の何れかに記載の加圧用具。
【請求項８】
上記胴体掛け部は、上記馬と接する面を備えていて、この面は滑り止め加工が施されていることを特徴とする、請求項７に記載の加圧用具。
【請求項９】
上記ループ部材は、一方の端部を上記保持部材に取り付けられた線状部と、上記線状部の他方の端部を上記保持部材に着脱自在に取り付けるループ用連結部と、から構成されていることを特徴とする、請求項５に記載の加圧用具。
【請求項１０】
上記連結部材は、上記保持部材に取り付けられた保持側連結具と、上記加圧部材に取り付けられていて上記保持側連結具と着脱自在につながる加圧側連結具と、から構成されていることを特徴とする、請求項６に記載の加圧用具。
【請求項１１】
馬の左右の前腕又は左右の下腿のまわりに装着した加圧ベルトを上記馬の胴体に掛けた保持部材で保持しながら、上記馬の左右の肢を上記加圧ベルトでそれぞれ締めて加圧することを特徴とする、加圧方法。
【請求項１２】
歩行させながら上記馬の左右の肢を上記加圧ベルトでそれぞれ締めて加圧することを特徴とする、請求項１１に記載の加圧方法。
【請求項１３】
上記加圧ベルトを上記馬の左右の肢に装着した状態で上記馬の左右の肢を間欠的に加圧することを特徴とする、請求項１１又は請求項１２に記載の加圧方法。
【発明の詳細な説明】
【技術分野】
【０００１】
本発明は、四肢の関節と関節との間の部位に取り付けて筋力等の増強等を図るための加圧用具と加圧方法とに関する。
【背景技術】
【０００２】
競争馬は通常、調教によって、坂路やトラックコースを走るなどのトレーニングを行う。トレーニングなどで前肢や後肢に掛かる負担が大きくなると、故障等の原因になる虞がある。そのため、効果的に筋力の増強を図ることが従来より望まれている。
【０００３】
人間の腕や脚の筋力を増強するために、腕や脚の血流を一時的に抑えて筋力などの増強を図るための加圧用具が知られている。
【０００４】
図２２は従来の人間用の加圧用具９０を示す図である。加圧用具９０は、内部に空気袋を備えた加圧ベルト９１と、チューブ９２を介して空気袋とつながったポンプ９３と、計測器９４と、を備えている。加圧ベルト９１は、帯状のベルト本体９１Ａと、ベルト本体９１Ａの一方の端部に取り付けられた環状部材９１Ｂと、ベルト本体９１Ａの他方の端部を環状部材９１Ｂに通して折り返した状態を維持するよう重なり合って連結する面ファスナ部材９１Ｃ，９１Ｄと、を備えている。このような帯状の加圧用具９０が特許文献１に開示されている。
【０００５】
従来の人間用の加圧用具９０は、ベルト本体９１Ａを腕や脚のまわりでループ型の形に変え、ループの径を絞って腕や脚に密着させる。さらにポンプ９３によって空気袋を膨らませて腕や脚を加圧する。
【先行技術文献】
【特許文献】
【０００６】
【特許文献１】特許第２７９６２７６号公報
【発明の概要】
【発明が解決しようとする課題】
【０００７】
人間用の加圧用具９０を馬の前肢又は後肢にそのまま利用すると、使用時に加圧用具９０が前肢や後肢の加圧する部位からずれて、落下してしまう事態が起こり得る。これに対して、例えば加圧用具９０が外れないよう必要以上に前肢又は後肢を強く縛ると腱を強く押さえて、前肢や後肢を拘束してしまうので望ましくない。
【０００８】
そこで、本発明は、馬の前肢や後肢から外れることを防止した加圧用具と、加圧方法と、を提供することを目的とする。
【課題を解決するための手段】
【０００９】
本発明の加圧用具は、馬の肢まわりに装着して上記肢を加圧する加圧部材と、落下しないよう上記馬の体の一部に掛けられていて、上記加圧ベルトを上記馬の肢に保持する保持部材と、を備えたことを特徴とする。上記保持部材は、前腕の腕節などの関節に掛かるよう設けられる取付部と、この取付部から上方へ延びて上記加圧部材を支持する加圧支持部と、を備えている。
【００１０】
本発明の加圧用具は、馬の左右の前腕又は左右の下腿のまわりに、それぞれ装着して左右の肢を加圧する加圧部材と、左の上腕側から右の上腕側へ亘って又は左の後膝側から右の後膝側へ亘って上記馬の胴体に掛けられて、上記加圧ベルトを上記馬の左右の肢に保持する保持部材と、を備えている。
【００１１】
本発明の加圧用具は、好ましくは、上記保持部材を上記加圧部材に寄せるように、上記馬の左右の肢にそれぞれ掛けるループ部材を備え、また上記加圧部材が連結部材を介して着脱自在に上記保持部材に取り付けられている。
【００１２】
本発明の加圧方法は、馬の左右の前腕まわりに又は左右の下腿まわりに装着した加圧ベルトを上記馬の胴体に掛けた保持部材で保持しながら、上記馬の左右の肢を上記加圧ベルトでそれぞれ締めて加圧することを特徴とする。
【発明の効果】
【００１３】
本発明によれば、左肢と右肢に装着した加圧部材の装着の安定度を高めることができて、トレーニングや治療などで馬の前肢や後肢への加圧を効率良く行える。
【図面の簡単な説明】
【００１４】
【図１】本発明の第１実施形態の加圧用具を装着した状態を示す図である。
【図２】図１の加圧用具を装着した周辺の拡大図である。
【図３】（ａ）は本発明の第１実施形態の加圧ベルトを広げた状態の平面図であり、（ｂ）は広げた状態の底面図であり、（ｃ）と（ｄ）はリング状に形を変えた状態の斜視図である。
【図４】本発明の第１実施形態の空気袋を広げた状態の平面図である。
【図５】（ａ）は本発明の第１実施形態の第１変形例の加圧用具を装着した状態を示す図であり、（ｂ）は第１変形例の加圧用具を装着する前の右前肢の拡大図であり、（ｃ）は第１変形例の加圧用具を装着した右前肢の拡大図である。
【図６】（ａ）と（ｂ）は第１実施形態の第１変形例の加圧シートの構成を説明するための図である。
【図７】（ａ）は本発明の第１実施形態の第２変形例の加圧用具を装着した状態を示す図であり、（ｂ）は本発明の第１実施形態の第３変形例の加圧用具を装着した状態を示す図である。
【図８】（ａ）は本発明の第２実施形態の加圧用具を装着した状態を示す図であり、（ｂ）は（ａ）の加圧用具を装着した周辺の拡大図である。
【図９】（ａ）は本発明の第３実施形態の加圧用具を装着した状態を示す図であり、（ｂ）は（ａ）の加圧用具を装着した周辺の拡大図であり、（ｃ）は（ａ）の加圧用具の加圧コントローラーのブロック図である。
【図１０】本発明の第４実施形態の加圧用具を装着した状態を示す図である。
【図１１】（ａ）と（ｂ）は本発明の第４実施形態の変形例の加圧用具を装着した右前肢周辺の図である。
【図１２】本発明の第４実施形態の実施例の加圧用具を装着した状態を示す図である。
【図１３】（ａ）は本発明の第４実施形態の実施例の加圧シートを広げた状態の平面図であり、（ｂ）は広げた状態の底面図である。
【図１４】（ａ）は図１３（ａ）のＡ−Ａ線に沿った加圧シートの断面図であり、（ｂ）は図１３（ａ）のＢ−Ｂ線に沿った加圧シートの断面図であり、（ｃ）は縦部材の部分斜視図である。
【図１５】（ａ）と（ｂ）は本発明の第４実施形態の実施例の加圧用具を装着した右前肢周辺の図である。
【図１６】（ａ）は本発明の第４実施形態の他の加圧ベルトを広げた状態の平面図であり、（ｂ）は広げた状態の底面図であり、（ｃ）はリング状に形を変えた状態の斜視図である。
【図１７】（ａ）は図１６のＡ−Ａ線に沿ったベルト本体の断面図であり、（ｂ）は空気袋の内部に弾性部材を備えたベルト本体の断面図である。
【図１８】（ａ）は図１６（ａ）の加圧ベルトの一方の端部側を拡大した平面図であり、（ｂ）は（ａ）のＢ−Ｂ線に沿った加圧ベルトの断面図である。
【図１９】（ａ）は図１６（ａ）の加圧ベルトの他方の端部側を拡大した平面図であり、（ｂ）は（ａ）のＣ−Ｃ線に沿った加圧ベルトの断面図であり、（ｃ）は（ａ）のＤ−Ｄ線に沿った加圧ベルトの断面図である。
【図２０】本発明の第４実施形態の他の加圧ベルトを示す斜視図である。
【図２１】（ａ）は本発明の第４実施形態の他の加圧ベルトを広げた状態の平面図であり、（ｂ）は広げた状態の底面図であり、（ｃ）と（ｄ）はリング状に形を変えた状態の斜視図である。
【図２２】従来の加圧用具を示す図である。
【発明を実施するための形態】
【００１５】
（第１実施形態）
図１は第１実施形態の加圧用具１を装着した状態を示す図であり、図２は加圧用具１を装着した周辺の拡大図である。
【００１６】
加圧用具１は、左右の前腕にそれぞれ装着される帯状の加圧部材（以下、加圧ベルトと呼ぶ。）１０と、左の上腕側から右の上腕側へ亘って胴体に掛ける保持用ベルト２０と、加圧ベルト１０と保持用ベルト２０とを連結する連結部材３０と、を備えている。尚、図１と図２では、馬を一点鎖線で表して、左肢側に設けられる構成も、実線で表している。
【００１７】
図３の（ａ）と（ｂ）とは右前肢側の加圧ベルト１０を広げた状態（外側と内側）を示している。加圧ベルト１０は、長尺なベルト本体１１０と、ベルト本体１１０に一端部を取り付けられたサブベルト１２０と、サブベルト１２０を通す環状部材１３０と、加圧ベルト１０を右前肢まわりに装着した状態を維持する固定部材１４０と、を備えている。
【００１８】
ベルト本体１１０は、その全長が前腕の周囲方向の寸法にほぼ対応していて、前腕の周り全体を覆うように、図３（ｃ）に示すようにリング状に形を変えることができる。ベルト本体１１０は、好ましくは前腕を一周する長さに設定されている。ベルト本体１１０は、図３の（ａ）と（ｂ）とに示す広げた状態で、長手方向が弓なりに曲がっていて、右前肢の肘と腕節との間で、下方に絞れた前腕の形に対応している。
【００１９】
ベルト本体１１０の長手方向に沿った一対の縁１１０Ａ，１１０Ｂは、肘寄りの高い側が長く、腕節側が短く形成されている。また、ベルト本体１１０は、長手方向の一方と他方とに直線状に延びた短い縁１１０Ｃ，１１０Ｄを備え、これらは同じ寸法に設定されている。以下、ベルト本体１１０の内、短い縁１１０Ｃ側を一方の端部と呼び、短い縁１１０Ｄ側を他方の端部と呼ぶ。
【００２０】
ベルト本体１１０は、肘と腕節との間の一部（以下、加圧部位と呼ぶ。）を覆うよう、例えば高い側の縁１１０Ａの長さが４０ｃｍ、短い縁１１０Ｃの幅Ｗ１が１０ｃｍに設定されている。またこれらの数値に限定されずに、縁１１０Ａの長さを３６〜４２ｃｍ、幅Ｗ１を５〜１５ｃｍの範囲で変えて、ベルト本体１１０を構成してもよい。
【００２１】
ベルト本体１１０は、馬の前腕に触れる内側の面を構成する裏地１１２と、外側に現れる面を構成する表地１１１とを同形に裁断し、それらの周縁を合せて縫合して、内部に空間を成すように形成されている。また、ベルト本体１１０は、サブベルト１２０と比べると、伸縮の度合いを非常に小さく（以下、非伸縮性と呼ぶ。）設定されており、生地として例えば２１０Ｄ〜４２０Ｄの化繊の織物を利用する。表地１１１は裏地１１２より径の太い例えば４２０Ｄの生地を利用して、素材強度を強く構成することが望ましい。表地１１１と裏地１１２は表面に防汚用のコーティングが施されていてもよい。
【００２２】
ベルト本体１１０は、内部の空間に空気袋１５０を備えている。空気袋１５０も、ベルト本体１１０を装着した状態で、加圧部位の周りでリング状を成すよう形成されており、好ましくは、加圧部位周りを一周する長さやベルト本体１１０の内部で一方の端部側から他方の端部側まで延びる長さに設定されている。
【００２３】
空気袋１５０は、平たく形成されており、また図４に示すように広げた状態でベルト本体１１０と同様、長手方向が弓なりに曲がっている。空気袋１５０も、長手方向に沿った一対の縁１５０Ａ，１５０Ｂを備えており、これらの間隔として、空気袋１５０の幅Ｗ２は、例えば６ｃｍ〜１３ｃｍに設定されている。
【００２４】
図４で一点鎖線がベルト本体１１０の周縁を表しており、空気袋１５０はベルト本体１１０の内部で、ベルト本体１１０の長手方向に沿って延びている。また、空気袋１５０の一方の面がベルト本体１１０の表地１１１に当たるよう、また他方の面がベルト本体１１０の裏地１１２に当たるよう、ベルト本体１１０の内部に設けられている。
【００２５】
空気袋１５０は、表地側の面と裏地側の面を同じ素材として、例えば同形のウレタンシートを用意し、それらの周縁を熱溶着して構成されている。また、空気袋１５０は、空気が出入りする口部１５３を塞ぐと、内部を密封できるよう構成されている。口部１５３は、空気袋１５０の長手方向に沿った縁の一部を外側へ突き出させて形成されている。
【００２６】
口部１５３は、図３（ａ）に示すベルト本体１１０の口通し用の穴１１３から外に現れている。口通し用の穴１１３は、ベルト本体１１０の周縁の一部に設けられており、表地１１１と裏地１１２とを縫合せずに、構成されている。図示例では、口部１５３が加圧ベルト１０の装着時に腕節寄りの縁１５０Ｂの一部を突出させて設けられているが、口部１５３とその口通し用の穴１１３とは肘側の縁１５０Ａに設けてもよい。
【００２７】
空気袋１５０は、内部の空間に伸縮自在に形成された弾性部材を備えていてもよい。弾性部材は、空気袋１５０を内部から膨らませるよう、ウレタンなどでスポンジ状に構成されている。
【００２８】
図３（ａ）に示すように、ベルト本体１１０は、環状部材１３０を縁１１０Ｃに寄せて設けている。環状部材１３０は、矩形に開いた開口１３１まわりに枠状に形成されており、長手方向を縁１１０Ｃに沿わせてベルト本体１１０に設けられている。
【００２９】
環状部材１３０は、一方の長い枠部分を環用取付布１６１で包み、この環用取付布１６１の両端を合せて、表地１１１と共に縫合してベルト本体１１０に取り付けられている。なお、環状部材１３０の材料は、限定されるものではないが、好ましくは合成樹脂で構成する。
【００３０】
図３（ａ）に示すように、サブベルト１２０がベルト本体１１０の他方の端部（縁１１０Ｄ側）に設けられている。サブベルト１２０は、ベルト本体１１０と比べると、大きく伸縮するよう構成されている。またサブベルト１２０の長さや幅の寸法がベルト本体１１０の寸法より小さく設定され、またその素材は、ストレッチ生地、ゴム製の薄いプレート、それらを縫合して帯状に形作ったもの等を利用することができる。
【００３１】
図３（ａ）に一点鎖線で示すサブベルト１２０の取付部１２０Ａがベルト本体１１０の外側に取り付けられている。サブベルト１２０は、ベルト本体１１０の外側の面で、短い縁１１０Ｄから長手の中間部側へ距離を置いた箇所に固定されている。サブベルト１２０の取付部１２０Ａがベルト本体１１０の表地１１１に重なり、さらに補強を兼ねたサブベルト用取付布１６２が取付部１２０Ａと表地１１１とに被さった状態で縫合されている。
【００３２】
サブベルト１２０は、取付部１２０Ａを除いて自由に動かすことができ、加圧ベルト１０の装着の際に環状部材１３０に通した後、折り返して用いられる。なお、図示例のサブベルト１２０の長さは、ベルト本体１１０の取付箇所から縁１１０Ｄまでの長さで、ベルト本体１１０の三分の一程の長さに設定されているが、これに限らず、ベルト本体１１０の他方の端部（縁１１０Ｄ側）を延長させた位置まで延ばすことができるように長くしたり、図示例より短くしたり、長さを変えてもよい。
【００３３】
サブベルト１２０は、環状部材１３０で折り返した先端側を、外側の面に合わせた状態を維持するよう、面ファスナを備えている。この面ファスナが、固定部材１４０として機能し、後述するように加圧ベルト１０を前腕に装着した状態を維持する。面ファスナは、複数のループを突出させて構成されたループファスナ１４１と、ループに掛かるフックを複数備えたフックファスナ１４２と、を備えている。ループファスナ１４１は、サブベルト１２０の取付部側に設けられており、フックファスナ１４２は先端側に設けられている。なお、固定部材１４０としては、面ファスナに限らず、スナップ，ボタン，バックルやその他の留め具を用いてもよい。
【００３４】
図２に示すように、空気供給部４０と計測部５０とが、コネクター６１、チューブ６２〜６４、分岐部６５を介して加圧ベルト１０に着脱自在に取り付けられている。空気供給部４０としては、図示の手動で空気袋１５０内に空気を送るポンプに限らない。また計測部５０としては、アナログ式に空気袋１５０の圧力を計るものに限らない。空気供給部４０と計測部５０とが一体に構成されていて、計測した圧力などに基づいて空気袋１５０の圧力を調整する制御装置を用いてもよい。
【００３５】
図２と図３とで右肢用の加圧ベルト１０について説明した。左肢用の加圧ベルト１０は右肢用と左右対象に構成されている。
【００３６】
加圧用具１は、左右の加圧ベルト１０を保持する保持部材として、保持用ベルト２０を設けている。保持用ベルト２０は、図１と図２とに示すように、胴体、例えばキ甲や背に掛ける帯状の胴体掛け部２１と、胴体の側面に沿って垂れ下がるよう胴体掛け部２１の両端からそれぞれ延びていて胴体掛け部２１より幅狭で帯状に形成された左側垂れ下り部２２及び右側垂れ下り部２３と、から構成されている。
【００３７】
なお、保持用ベルト２０は、胴体掛け部２１として胴体に触れる内側の面を備えて、この面に滑り止めの加工を施したものを用いたり、左側垂れ下り部２２及び右側垂れ下り部２３を長手の途中で折り返してアジャスター２４で長さを調整可能に束ねたりして、構成することが望ましい。また、保持用ベルト２０は、全体に亘って幅の寸法を同じに構成し、例えば帯状に或いは紐状に構成してもよい。
【００３８】
加圧用具１は、連結部材３０として、加圧ベルト１０に取り付けられたＤ字型の環状部材（以下、Ｄ環３１と呼ぶ。）と、保持用ベルト２０に取り付けられたフック３３と、を備えている。
【００３９】
加圧ベルト１０は図３（ｂ）に示すように一方の端部（縁１１０Ｃ側）にＤ環３１を備えている。Ｄ環３１は、材料は限定されるものではないが、好ましくは合成樹脂製のものを利用する。
【００４０】
Ｄ環３１を設ける加圧ベルト１０の一方の端部（縁１１０Ｃ側）は、長手方向と直交する方向へそれぞれ延びたカバー１７１，１７２を設けている。カバー１７１とカバー１７２とは、ベルト本体１１０側へ折り返すことができるように一部をベルト本体の表地１１１と裏地１１２の周縁に挟まれて、縫合されている。
【００４１】
これらのカバー１７１，１７２は、図３の（ｃ）と（ｄ）とに示すように加圧ベルト１０をリング状に形を変えた状態で、ベルト本体１１０の外側の面で重なることで、一方の端部に設けられたサブベルト１２０の折り返し用の環状部材１３０を覆うことができる。カバー１７１，１７２が重なり合った状態を維持するよう、それらの合わさる面に固定部材１７３が設けられている。
【００４２】
図示例では、ベルト本体１１０の高い側の縁１１０Ａから外へ延びたカバー１７１が、低い側の縁１１０Ｂから延びたカバー１７２の上に固定されるように、カバー１７２にループファスナ１７３Ａを設け、カバー１７１にフックファスナ１７３Ｂを設けている。固定部材１７３としては、面ファスナに限らず、スナップ、ボタン、フックやその他の留め具を用いてもよい。
【００４３】
Ｄ環３１は、直線状の枠部分を取付用布３２で包み、この取付用布３２の両端を合せた状態でベルト本体１１０の表地１１１と裏地１１２とで挟んで、カバー１７１と共に縫合されている。図３（ｄ）に示すように取付用布３２がベルト本体１１０の高い側の縁１１０Ａより外に延びていて、Ｄ環３１はベルト本体１１０と重ならないよう、ベルト本体１１０より高い位置まで持ち上げることができるように構成することが望ましい。
【００４４】
フック３３は、保持用ベルト２０で、左側垂れ下り部２２と右側垂れ下り部２３の先端を構成する折り返し部分に、それぞれスライド可能に設けられている。なお、フック３３は、左側垂れ下り部２２と右側垂れ下り部２３の折り返し部分に代えて、先端部分に設けてもよい。
【００４５】
図２に示すように、右前肢の加圧ベルト１０に設けられたＤ環３１がフック３３に掛かることで、保持用ベルト２０と加圧ベルト１０が連結する。図示省略するが、左側の加圧ベルト１０も同様に、保持用ベルト２０と連結することができる。
【００４６】
このような連結部材３０は、図示例のＤ環３１とフック３３とに限るものではなく、雌バックルとこれに着脱自在に嵌る雄バックル、スナップ、ボタンと穴の組み合わせ等、その他の留め具を利用することができる。連結部材３０は、保持用ベルト２０と加圧ベルト１０から分離した部材として、例えば保持用ベルト２０と加圧ベルト１０とをそれぞれ挟んで連結するものを用いてもよい。また、連結部材３０を省略して、保持用ベルト２０の左右の端を構成する左側垂れ下り部２２と右側垂れ下り部２３とを、加圧ベルト１０に縫合等で直に取り付けてもよい。
【００４７】
（使用方法）
先ず、加圧ベルト１０を装着する。ベルト本体１１０の長手方向の中間部で内側の面を右前肢の内側に当てた状態で、両方の端部を右前肢の外側に回し、更に重ね合わせて或いは両方の端部を近接させて、肘と腕節との間の加圧部位周りでベルト本体１１０をリング状に形を変える。そして、サブベルト１２０を環状部材１３０の開口１３１に通して折り返す。サブベルト１２０の先端側のフックファスナ１４２を取付箇所側のループファスナ１４１に掛けて、加圧ベルト１０を加圧部位に装着する。
【００４８】
次に、馬の胴体の上に、左の上腕から右の上腕に亘るよう、保持用ベルト２０の胴体掛け部２１を掛ける。そして、図２に示すように、Ｄ環３１をフック３３に掛けて、加圧ベルト１０と保持用ベルト２０とを連結する。
【００４９】
左肢にも、上記と同様に、加圧ベルト１０を装着し、この加圧ベルト１０のＤ環３１を左側垂れ下り部５２のフック３３に掛ける。
【００５０】
加圧ベルト１０に空気供給部４０と計測部５０とを取り付けて、空気袋１５０を所定の圧力に調整する。その後、空気供給部４０と計測部５０とを加圧ベルト１０から外し、空気袋１５０の口部１５３をクリップや栓を兼ねたコネクター６１などで塞いで膨張させた状態で、馬の前肢を加圧して、トレーニングを行うことができる。
【００５１】
加圧ベルト１０の圧力の調整は、加圧ベルト１０と保持用ベルト２０との連結の後に限定されるものではない。例えば、空気袋１５０が内部に弾性部材を備えている場合には、加圧ベルト１０に計測部５０だけチューブ６２を介して取り付けた状態で、加圧ベルト１０を右前肢に装着する際に空気袋１５０が所定の圧力に至るよう、サブベルト１２０の環状部材１３０で折り返す長さを変えながら加圧部位に作用する圧力を調整する。所定の圧力でクリップなどで空気袋１５０の口部１５３を塞いで加圧ベルト１０を装着させた後に計測部５０を外す。左肢も同様に、加圧ベルト１０の装着の際に空気袋１５０の圧力を調整した後、左右の前肢を加圧した状態で、トレーニングを行う。
【００５２】
加圧用具１によれば、左右の前肢の加圧ベルト１０側のＤ環３１を、胴体側の保持用ベルト２０のフック３３に掛けることで、左右の加圧ベルト１０が所望の加圧部位から外れて落下してしまう事態を防止することができる。
【００５３】
これにより、加圧ベルト１０が加圧部位まわりに安定して装着した状態で、トレーニング等を行うことができる。例えば、保持用ベルト２０で左右の前肢の加圧ベルト１０の装着状態を保持して、馬を歩行させながら左右の前肢を加圧することができる。
【００５４】
また、従来の人間用の加圧用具９０では、ベルト本体１１０が幅狭で馬の前腕の腱などを拘束してしまうが、加圧ベルト１０によれば、加圧部位を広く押さえつつ、加圧ベルト１０の内、サブベルト１２０が非伸縮性のベルト本体１１０と比べて筋肉の動きに対応して大きく伸縮するので、腱などに非常に強い締め付けが働くことを抑えることができる。
【００５５】
さらに、空気袋１５０が内部に弾性部材を備えていると、加圧ベルト１０が弾性部材によって内側から押されて、凹凸した加圧部位で、例えば腱と腱との間の窪んだ箇所にも当たり、加圧部位の全体に亘って均一に加圧することができ、一層加圧の効果を高めることが期待できる。
【００５６】
（第１変形例）
図５は本発明の第１実施形態の第１変形例の加圧用具１Ａを装着した状態を示す図である。加圧用具１Ａは、加圧用具１と異なり、左右の前腕に装着する加圧部材の構成が異なる。加圧用具１Ａは、加圧ベルト１０に代えて、シート状に形成された加圧部材（以下、加圧シートと呼ぶ）１０Ａを備えている。
【００５７】
なお、図５では、馬を一点鎖線で表して、左前肢側に設けられる構成も、実線で表している。以下、加圧用具１Ａの構成で、第１実施形態の加圧用具１と同様の構成には同じ符号を付して、それらの説明を省略する。
【００５８】
図６の（ａ）と（ｂ）は右肢用の加圧シート１０Ａの構成を説明するための図である。加圧シート１０Ａは、肘と腕節との間の前腕で、図５（ｂ）で交差状のハッチングで表す加圧部位Ｐ１と、加圧部位Ｐ１に隣接した図５（ｂ）の斜線状のハッチングで表す周辺部位Ｐ２とを包むシート部材７０を備えている。シート部材７０は、加圧部位Ｐ１より周辺部位Ｐ２を広く包む大きさに形成されている。
【００５９】
図６（ａ）はシート部材７０を広げて内側から見た図であり、シート部材７０は、肘側に配置されて右前肢の周囲の方向に沿って横に延びた上の縁（以下、上縁部７１Ｕと呼ぶ。）と、腕節側に配置されて上縁部７１Ｕと同様に横に延びた下の縁（以下、下縁部７１Ｄと呼ぶ。）と、右前肢の上下の方向に沿って縦に延びていて上縁部７１Ｕと下縁部７１Ｄとをつなぐ左右の縁（以下、それぞれ左縁部７１Ｌ、右縁部７１Ｒと呼ぶ。）とを備えている。シート部材７０は、上縁部７１Ｕや下縁部７１Ｄが左縁部７１Ｌや右縁部７１Ｒとつながる角部７１Ｃを持っている。
【００６０】
シート部材７０の縁の形状はこれに限定されるものではない。図６（ａ）では、上縁部７１Ｕと下縁部７１Ｄとが横に真っ直ぐに延びた形態を表しているが、例えば、途中で曲がるように、二つの直線部がつながって構成したり、曲線状に形成してもよい。
【００６１】
シート部材７０は、二枚の生地が横に並んで広がるようそれらの一部の縁がつながって構成されたシート本体部７００と、シート本体部７００の周縁を挟んでシート本体部７００に縫い合わせた縁取り部７１０と、から構成されている。図６（ｂ）はシート部材７０の二枚の生地７０１，７０２を離して表している。
【００６２】
シート本体部７００は、同型に裁断した二枚の生地７０１，７０２を用意し、左右対称になるよう縫い合わせて構成されている。生地は限定されるものではないが、例えばメッシュやストレッチなどの伸縮性を有するものを利用する。化繊で構成された二枚の生地７０１，７０２を用いる場合なでは、縁を溶着させてつなげてシート本体部７００を構成してもよいし、縫合や溶着などを省いて裁断した一枚の生地でシート本体部７００を構成してもよい。
【００６３】
図６（ａ）では、二枚の生地７０１，７０２を縫い合わせた縫合部７０５が、右前肢の内側に配置されるように構成されており、図６（ａ）に示すシート部材７０で、縫合部７０５より左側の領域が右前肢の後側に被さり、右側の領域が右前肢の前側に被さるように構成されている。
【００６４】
右前肢では前腕で肘側が太く腕節側が細いことに対応して上縁部７１Ｕは下縁部７１Ｄより寸法が大きく設定されている。左縁部７１Ｌと右縁部７１Ｒとは、右前肢の筋肉の盛り上がりに沿うよう、曲がりながら上縁部７１Ｕから下縁部７１Ｄまで延びている。左縁部７１Ｌと右縁部７１Ｒの寸法として、上縁部７１Ｕから下縁部７１Ｄまでの直線距離は、本例では、肘の下から腕節の上までの前腕のほぼ全長に相応した長さに設定されているが、これに限定されずに、上腕の一部が外に現れるように寸法を短くしてもよい。
【００６５】
さらにシート部材７０は、図５に示すように、前腕に巻いた状態で左縁部７１Ｌ側と右縁部７１Ｒ側とが前腕の外側で重なるよう、シート部材７０の上縁部７１Ｕと下縁部７１Ｄの寸法が前腕の周囲より長く設定されている。
【００６６】
以下の説明で、シート部材７０を図６（ａ）に示すように縦方向に等間隔で三つの領域に分け、肘に近い高い部位に当たる領域を上部、腕節寄りの低い部位に当たる領域を下部、上部と下部の間の領域を中間部と呼ぶ。
【００６７】
シート部材７０は、縫合部周辺を前腕の内側に当て、縦に延びた左縁部７１Ｌと右縁部７１Ｒとを外側で近づけて前腕を包んだ状態を維持するよう固定部材７２０を備えている。本実施形態では、固定部材７２０を三つ備えていて、これらの内、図５（ｃ）に示すように、肘の近くに配置されてシート部材７０の上部を留めるものを上固定部材７２０Ｕと呼び、腕節の近くに配置されてシート部材７０の下部を留めるものを下固定部材７２０Ｄと呼び、上固定部材７２０Ｕと下固定部材７２０Ｄと距離を置いて設けられシート部材７０の中間部を留めるものを中間固定部材７２０Ｍと呼ぶ。
【００６８】
上固定部材７２０Ｕと下固定部材７２０Ｄと中間固定部材７２０Ｍとはそれぞれ、左縁部７１Ｌ（一方の縁部）側に取り付けられた帯状部７２１と、右縁部７１Ｒ（他方の縁部）側に取り付けられていて帯状部７２１を通す開口７２２Ａを備えた環状部材７２２と、環状部材７２２を通して折り返した帯状部７２１の先端側を一方の縁部側に取り付けられた帯状部７２１の基端側に固定する面ファスナ７２３とを備えている。なお、帯状部７２１を取り付ける一方の縁部と環状部材７２２を取り付ける他方の縁部は、上記と逆でもよい。
【００６９】
上固定部材７２０Ｕの帯状部７２１は、シート部材７０の上縁部７１Ｕから内側へ距離を置いた位置に設けられている。上固定部材７２０Ｕの帯状部７２１は、下固定部材７２０Ｄと中間固定部材７２０Ｍの帯状部７２１より長く、さらに幅を狭く形成されている。下固定部材７２０Ｄの帯状部７２１は、シート部材７０の下縁部７１Ｄから内側へ距離を置いた位置に設けられている。
【００７０】
各環状部材７２２は、環用取付布７２２Ｂの一方の端で一部を包み、この環用取付布７２２Ｂの他方の端をシート部材７０に縫い合わせて取り付けられている。面ファスナ７２３は、複数のループを突出させて構成されたループファスナ７２３Ａと、ループに掛かるフックを複数備えたフックファスナ７２３Ｂとから構成されている。ループファスナ７２３Ａが帯状部７２１の取付側に設けられ、フックファスナ７２３Ｂが先端側に設けられている。なお、固定部材７２０の数は上記の数は限定されず、例えば上記の中間固定部材７２０Ｍを省略してもよい。
【００７１】
さらに、加圧シート１０Ａは、シート部材７０の角部７１Ｃの捲れを防止する捲れ防止部材７３０を備えている。捲れ防止部材７３０は、帯状部７２１より細く形成されていて一方の端部をシート部材７０の右縁部７１Ｒ寄りの外側に縫い合わされたストラップ７３１と、ストラップ７３１の他方の端部側をシート部材７０の左縁部７１Ｌ寄りの外側に固定する留め具７３２と、から構成されている。留め具は、面ファスナを利用することができるが、スナップやボタンなどの他の留め具を利用してもよい。
【００７２】
加圧シート１０Ａは、図６（ａ）に示すように、シート部材７０の内側に帯状の加圧当接部材７４０を設けている。加圧当接部材７４０は、縦の寸法より横の寸法を大きく設定された横長の生地で構成されている。この生地は周縁をシート部材７０に縫い合わされている。具体的には、加圧当接部材７４０は、シート部材７０の上部で上縁部７１Ｕから距離を置いて内側に設けられており、さらに左縁部７１Ｌ側から右縁部７１Ｒ側へ横に延びている。シート部材７０と加圧当接部材７４０との間が空気袋１５０を入れる収容部として構成されている。
【００７３】
空気袋１５０は一方の面がシート部材７０に当たり他方の面が加圧当接部材７４０に当たり、さらに長手方向を加圧当接部材７４０に沿わせて、収容部に設けられている。空気袋１５０は、右前肢をその周囲の全体で押さえるよう、右前肢を一周する程度或いは一周して端部が重なることができるよう、長手方向の寸法が選定されている。
【００７４】
空気袋１５０の口部１５３は、図６（ａ）に示すように、加圧当接部材７４０とシート部材７０との間から収容部の外に出されており、さらにシート部材７０に設けた口通し用の穴７０６から外側に出されている。外に出た口部１５３をクリップで挟んだり、栓をすることで、空気袋１５０の密封状態を維持することができる。
【００７５】
また、図５（ｃ）は、加圧用具１Ａとして、空気袋１５０の圧力だけを計測するよう、口部１５３に計測部５０を、例えば栓を兼ねたコネクター６１と、チューブ６２と、を介して取り付けた、構成を示している。
【００７６】
加圧シート１０Ａは、シート部材７０の上縁部７１ＵにＤ環３１を備えている。Ｄ環３１は、直線状の枠部分を取付用布３２で包み、この取付用布３２の両端がシート部材７０に縫合されている。
【００７７】
図５と図６とで右肢用の加圧シート１０Ａについて説明した。左肢用の加圧シート１０Ａは右肢用と左右対象に構成されている。
【００７８】
加圧用具１Ａは、加圧用具１と同様に、左右の前肢の加圧シート１０Ａ側のＤ環３１を、胴体側の保持用ベルト２０のフック３３に掛けることで、加圧シート１０Ａを装着した状態を一層安定して維持することができる。
【００７９】
また、加圧シート１０Ａによれば、シート部材７０で前腕のほぼ全体を包みつつ、その内、加圧当接部材７４０に当たる加圧部位Ｐ１を空気袋１５０の膨張によって押さえることで、従来の細幅で長い加圧用具９０で上腕を縛って前腕の腱を押さえることを回避できる。加圧当接部材７４０の外側に設けた空気袋１５０が、競走馬のような細い前肢で骨と筋肉と腱とで凹凸に形成された表皮の面に柔軟に合わさり、圧力を均一化して、前肢を加圧することができる。
【００８０】
また、従来の細長く形成された帯状の加圧用具９０で前腕を縛る加圧方法と比べて、前腕の加圧部位Ｐ１に加えて、加圧部位Ｐ１より広い周辺部位Ｐ２を併せてシート部材７０で包むことで、馬の加圧用具１Ａの取り付けに対する安定度を向上させることができる。
【００８１】
（第２変形例と第３変形例）
図７の（ａ）と（ｂ）とは本発明の第１実施形態の第２変形例の加圧用具１Ｂと第３変形例の加圧用具１Ｃとを装着した状態を示す図である。加圧用具１Ｂ，１Ｃは、前述の加圧用具と異なり、後肢用に構成されている点が異なる。
【００８２】
加圧ベルト１０と加圧シート１０Ａとが、ベルト本体１１０やサブベルト１２０、シート部材７０等を、後膝から飛節へ絞れた下腿の形に沿うよう、ベルト本体の長手方向の曲り具合、固定部材７２０などの数、寸法等を設定して、構成されている。
【００８３】
また、第２及び第３変形例では、保持用ベルト２０の前述の胴体掛け部２１が、腰側掛け部２１Ａと尻側掛け部２１Ｂとから構成されており、左側垂れ下り部５２と右側垂れ下り部５３とは腰側掛け部２１Ａと尻側掛け部２１Ｂの各端部が繋がった箇所から延びている。
【００８４】
加圧用具１Ｂ，１Ｃは、加圧用具１，１Ａと同様に、左右の後肢側の加圧部材（加圧ベルト１０，加圧シート１０Ａ）のＤ環３１を、胴体側の保持用ベルト２０のフック３３に掛けることで、加圧部材の装着の安定度を高めることができる。
【００８５】
なお、加圧部材は、上記の加圧ベルト１０，加圧シート１０Ａに限定されるものではない。また他の加圧部材を利用する場合には、連結部材で保持部材とつないで用いるよう、例えば、フック３３のように保持部材側に設けられる保持側連結具と、Ｄ環３１のように加圧部材側に設けられていて保持側連結具とつながる加圧側連結具を利用すればよい。
【００８６】
（第２実施形態）
図８は本発明の第２実施形態の加圧用具２を装着した状態を示す図である。加圧用具２は、第１実施形態の加圧用具１の構成に加えて、左右の前肢に掛けるループ部材８０を備えている。
【００８７】
保持用ベルト２０は、胴体掛け部２１の右肢側の端部に右肢に掛けるループ部材８０を設けている。ループ部材８０は、変形自在な線状に形成されていて一方の端部を保持用ベルト２０の胴体掛け部２１に取り付けられた線状部８１と、線状部８１の他方の端部を保持用ベルト２０に着脱自在に取り付けるループ用連結部８２と、から構成されている。
【００８８】
線状部８１は、紐或いは幅の狭い帯状に形成されており、その素材は例えば化繊などで構成されていることが望ましい。なお、図８（ｂ）は、線状部８１で右前肢の内側に回った部分を破線で表している。
【００８９】
ループ用連結部８２は、線状部８１の先端側に設けられる雄バックル８２１と、保持用ベルト２０の胴体掛け部２１の端部に取付布８３を介して取り付けられていて雄バックル８２１が着脱自在に嵌る雌バックル８２２と、から構成されている。図８（ｂ）は、雄バックル８２１が雌バックル８２２から外れた状態を表している。なお、ループ用連結部８２は、雄バックル８２１と雌バックル８２２とに限らず、環とこれに掛かるフック、ボタンと穴、スナップなど、その他の留め具などを用いてもよい。
【００９０】
保持用ベルト２０は、右肢用と同様に構成された左肢用のループ部材８０を、胴体掛け部２１の左端部に設けている。
【００９１】
（使用方法）
保持用ベルト２０を馬の背やキ甲に掛けた状態で、左右のループ部材８０のループ用連結部８２を解除して、線状部８１の他方の端部側を、胴体の側面から右肢或いは左肢の内側にまわした後、再び胴体掛け部２１の高さまで持ち上げて、雄バックル８２１を雌バックル８２２に嵌めて、前肢まわりに線状部８１で輪を作る。
【００９２】
加圧用具２によれば、保持用ベルト２０に設けたループ部材８０を左右の肢にそれぞれ掛けることで、胴体掛け部２１の左右の端部を前肢に寄せることができる。これにより、胴体掛け部２１の左右の端部が前肢に対して大きく位置がずれることを防止して、加圧ベルト１０の装着の安定度を一層高めることができる。
【００９３】
また、調教師等が、馬の横で左右の前肢にループ部材８０を別々に掛けて保持用ベルト２０を馬の胴体に固定することができる。このような作業は、別の紐などを胴体の下に回して保持用ベルト２０を固定する作業と比べて、行い易くまた安全である。
【００９４】
ループ部材８０は、前述の加圧用具１Ａ〜１Ｃなどに加えて、用いることができる。
【００９５】
（第３実施形態）
図９（ａ）は本発明の第３実施形態の加圧用具３を装着した状態を示す図である。加圧用具３は、第１実施形態の加圧用具１の構成と比べて、空気袋１５０の圧力を自動で制御するよう、制御装置として加圧コントローラー４５０を備えている。この加圧コントローラー４５０は、携帯型に構成されていて、保持用ベルト２０に着脱自在に取り付けることができる。
【００９６】
図９（ｂ）で加圧コントローラー４５０を二点鎖線で示すように、保持用ベルト２０が胴体掛け部２１の端部で外側の面に加圧コントローラー４５０を入れるポケット２１１を備えている。加圧コントローラー４５０は、ポケット２１１に入れた状態で、チューブ６２を介して加圧ベルト１０とつながっている。なお、ポケット２１１などの加圧コントローラー４５０を取り付ける位置は、図示例に限らず、例えばキ甲に寄せるほど上下に広がる胴体の側面から外れて、加圧コントローラー４５０が馬体と柵などの構造物とに挟まれる事態を回避できて望ましい。
【００９７】
図９（ｃ）は加圧コントローラー４５０のブロック図であり、加圧コントローラー４５０は、空気袋１５０へ空気を送る空気供給部４０と、空気袋１５０の圧力を計測する計測部５０と、計測部５０で計測した圧力に基づいて空気供給部４０や図示しない空気弁を制御して圧力を調整する制御部４５１と、を備えている。なお、加圧コントローラー４５０は、左前肢と右前肢に対して個々に設けられてもよいが、一台の加圧コントローラー４５０で左右の加圧ベルト１０を制御するように構成してもよい。
【００９８】
加圧用具３によれば、前述の加圧用具１と同様に、加圧ベルト１０の装着の安定度を高めて、左右の前肢を加圧することができる。また、加圧ベルト１０を左右の前肢に装着した状態で、加圧コントローラー４５０が圧力を制御して、例えば下記の表１に示すように間欠的に圧力をかけて、加圧ベルト１０による前肢への縛り具合を緩めることができる。
【００９９】
【表１】
2017209107.tif 000003
【０１００】
圧力の大きさは、一定に限らず、加圧を行う度に大きくすることができる。なお、表１に示す例では最後の加圧の制御で当初の圧力の大きさに戻している。また、前肢を縛る加圧の制御時間と縛り具合を緩める除圧の制御時間は、一定に限らず、各制御で異なるように変えて、間欠的に行ってもよい。なお、制御時間や圧力は表１に限定されるものではない。
【０１０１】
加圧コントローラー４５０は、前述の加圧用具１Ａ〜１Ｃ，２などで、空気供給部４０と計測部５０とを一体に構成した制御装置として、同様に用いることができる。
【０１０２】
（第４実施形態）
図１０は第４実施形態の加圧用具を装着した状態を示す図である。加圧用具４は、右の前腕に装着される加圧部材と、加圧部材を右の前腕に保持する保持部材と、を備えている。加圧用具４は、前腕に取り付けられる加圧支持部２５を保持部材として備えている。なお、図１０では、馬を一点鎖線で表している。
【０１０３】
加圧支持部２５は、落下しないよう前肢に取り付けられる取付部２５１と、この取付部２５１から立ち上り加圧部材、特に空気袋１５０を取付部２５１より離れた位置に支持する縦部材２５２と、を備えている。
【０１０４】
取付部２５１は、例えば帯状に形成されており、前肢で前節の上の括れた部位まわりに当ててリング状に形を変えた状態で装着される。取付部２５１は、リング状に形を変えた状態を維持することができるように構成され、さらにリング状の形態では内側の穴が前節を通すことができない大きさに形成されている。
【０１０５】
取付部２５１は、好ましくは穴の大きさを変えることができるように構成されており、例えば長尺な帯状部とこの帯状部の一端側に設けられて帯状部の他端部を通して折り返す環状部材と、帯状部の他端部を帯状部の外側の面に固定する面ファスナなどの留め具とで構成されたものであれば、環状部材で折り返す長さを変える。このようなベルト型に代えて、シート状に広がる部材であれば、前腕回りに巻き、重なる縁部をスナップなどで留め、また前節側が長く余剰の部分があれば高い側にまくるなどして長さを調節する。
【０１０６】
縦部材２５２は下端が取付部２５１に支えられて上に延びており、その上端は加圧部材の空気袋１５０或いはそれより高いところに配置される。加圧支持部２５は好ましくは縦部材２５２を複数設けて構成され、各縦部材２５２は前腕の周りで互いに距離を置いて設けられている。各縦部材２５２は、互いに離れた非連結の関係に代えて、図１１（ａ）に示すように横に延びる横部材２５３を介してつながったり、図１１（ｂ）に示すように一部が重なるよう交差状に設けられてもよい。
【０１０７】
縦部材２５２は、加圧部材が例えば第１実施形態の加圧ベルト１０のように帯状に形成されたものであれば、ベルト本体１１０が加圧部位の周りにリング状に形を変えた状態で加圧部位から外れないよう、支持する。縦部材２５２は、その上端がベルト本体１１０の一部に当たるよう設けられて、ベルト本体１１０の下方への移動を抑える。リング状を成したベルト本体１１０の下縁側を縦部材２５２の上端に載せたり、ベルト本体１１０の外側の面に縦部材２５２の上端を固定したり、ベルト本体の内側に設けられた空気袋１５０の収容部に縦部材２５２の上端を入れたりして、加圧部位に当たる空気袋１５０を支持する。縦部材２５２は、加圧部材に着脱自在に取り付けられたり、縫合・溶着などで固定されてもよい。
【０１０８】
縦部材２５２は、長さを調節できることが望ましい。縦部材２５２は、例えば長手方向の途中で加圧部材側の上部と取付部２５１側の下部との二つに分離可能に構成されて、面ファスナなどの固定部材を上部と下部の合わさる面に設けて縦に連なるよう連結することができると共に、上部と下部の合わる範囲を変えて全体の長さを調節する。
【０１０９】
（使用方法）
先ず、加圧支持部２５と加圧部材を装着する。加圧部材が加圧ベルト１０として構成されたものであれば、ベルト本体１１０の長手方向の中間部で内側の面を右前肢の内側に当てた状態で、両方の端部を右前肢の外側に回し、更に重ね合わせて或いは両方の端部を近接させて、加圧部位周りでベルト本体１１０をリング状に形を変える。そして、サブベルト１２０を環状部材１３０の開口１３１に通して折り返す。サブベルト１２０の先端側のフックファスナ１４２を取付箇所側のループファスナ１４１に掛けて、加圧ベルト１０を加圧部位に装着する。
【０１１０】
加圧支持部２５の装着は、先ず取付部２５１を前節上の括れた部位周りに巻いてリング状に形を変える。取付部２５１は、装着状態で前節に掛かり下方への落下が規制される。縦部材２５２を上腕側に延ばし、その上端で加圧部材を支える。複数の縦部材２５２で加圧部材を支え、また縦部材２５２の長さを調節する。
【０１１１】
次に、加圧ベルト１０に空気供給部４０と計測部５０とを取り付けて、空気袋１５０を所定の圧力に調整する。その後、空気供給部４０と計測部５０とを加圧ベルト１０から外し、空気袋１５０の口部１５３をクリップや栓を兼ねたコネクター６１などで塞いで膨張させた状態で、馬の前肢を加圧して、トレーニングを行うことができる。
【０１１２】
加圧用具４によれば、右の前肢の加圧ベルト１０側が、加圧支持部２５によって所望の加圧部位から外れて落下してしまう事態を防止することができる。左肢にも、右肢と同様の加圧用具４を用いて、加圧ベルト１０を加圧部位に装着し、これを加圧支持部２５で支えて、保持することができる。なお、加圧用具４では、この加圧支持部２５に加えて、左右の前肢に装着した加圧ベルト１０などの加圧ベルトを、第１実施形態の加圧用具１等と同様に胴体側の保持用ベルト２０を併せて用いて、所望の位置に保持させてもよい。
【０１１３】
（実施例）
図１２は本発明の第４実施形態の実施例の加圧用具４Ａを装着した状態を示す斜視図である。加圧用具４Ａは、加圧部材としてシート状に形成された加圧シート１０Ｃと、この加圧シート１０Ｃに設けられており加圧シート１０Ｃを前腕に保持する保持部材と、を備えている。なお、図１２では、馬を一点鎖線で表している。
【０１１４】
加圧シート１０Ｃは、肘と前節との間の前腕で、図５（ｂ）で交差状のハッチングで表す加圧部位Ｐ１に合わさる収容部７５０と、加圧部位Ｐ１に隣接し図５（ｂ）の斜線状のハッチングの内、下の周辺部位Ｐ２を包むシート本体部７６０とを備えている。加圧用具４Ａは、第２実施形態の加圧用具２と同様にシート状に形成されており、図１３は加圧シート１０Ｃを広げた状態を示しており、（ａ）は外側の面を上にした平面図であり、（ｂ）は内側の面が現れる底面図である。図１４の（ａ）と（ｂ）とは図１３（ａ）のＡ−Ａ線とＢ−Ｂ線とに沿った加圧シート１０Ｃの断面図である。
【０１１５】
収容部７５０は、加圧シート１０Ｃが前腕の周囲を覆う筒状の形態で上の開口を構成するようリング型に形を変えることができ、前腕に装着する前の加圧シート１０Ｃを広げた状態ではシート状の形態の内、その一部の周縁に沿った帯状の部分として構成されている。収容部７５０は、図１３（ｂ）に示す広げた状態で、肘側に配置されて右前肢の周囲の方向に沿って横に延びた上の縁（以下、上縁部７５０Ｕと呼ぶ。）と、腕節側に配置されて上縁部７５０Ｕと同様に横に延びた下の縁（以下、下縁部７５０Ｄと呼ぶ。）と、右前肢の上下の方向に沿って縦に延びていて上縁部７５０Ｕと下縁部７５０Ｄとをつなぐ左右の縁（以下、それぞれ左縁部７５０Ｌ、右縁部７５０Ｒと呼ぶ。）とを備えている。
【０１１６】
収容部７５０は、図１４（ａ）に示すように空気袋１５０を内部に入れることができるよう袋状に構成されている。収容部７５０は、例えば外側に現れる面を構成する表地７５１と、馬の前腕に触れる内側の面を構成する裏地７５２とを同形に裁断し、それらの周縁を合せて縫合して、内部に空間を成すように形成されている。この収容部７５０は、好ましくは、第１実施形態のベルト本体１１０と同様に、広げた状態で上縁部７５０Ｕと下縁部７５０Ｄとが弓なりに曲がった形に形成されており、肘側の縁が長く、前節側の縁が短く形成される。収容部７５０は、内側の面を加圧部位Ｐ１に当て、長手の両端が近づくよう前腕の周りにリング状に形を変えて装着される。なお、図１３（ｂ）では、収容部７５０の内部に入れた空気袋１５０の輪郭を一点鎖線で表している。
【０１１７】
シート本体部７６０が、収容部７５０の下縁部７５０Ｄから延びていて、収容部７５０が加圧部位Ｐ１まわりに取り付けられた状態でそれより低い周辺部位Ｐ２を覆うよう、設けられている。シート本体部７６０は、生地は限定されるものではないが、例えばメッシュやストレッチなどの伸縮性を有するものを利用して構成されており、一枚の生地でシート本体部７６０を構成してもよいし、化繊で構成された二枚の生地を用いて縁を溶着させてつなげてシート本体部７６０を構成してもよい。
【０１１８】
シート本体部７６０は、加圧部位Ｐ１より広い領域を成す周辺部位Ｐ２を包む大きさに形成されている。図１３（ｂ）はシート本体部７６０を広げて内側から見た図であり、シート本体部７６０は、肘側に配置されて右前肢の周囲の方向に沿って横に延びた上の縁（以下、上縁部７６０Ｕと呼ぶ。）と、腕節側に配置されて上縁部７６０Ｕと同様に横に延びた下の縁（以下、下縁部７６０Ｄと呼ぶ。）と、右前肢の上下の方向に沿って縦に延びていて上縁部７６０Ｕと下縁部７６０Ｄとをつなぐ左右の縁（以下、それぞれ左縁部７６０Ｌ、右縁部７６０Ｒと呼ぶ。）とを備えている。なお、上縁部７６０Ｕと下縁部７６０Ｄとは、弓なりに曲がりながらでも延びてもよい。
【０１１９】
シート本体部７６０の左縁部７６０Ｌは、収容部７５０の左縁部７５０Ｌと縦に連なるようにつながっている。右縁部７６０Ｒも、収容部７５０の右縁部７５０Ｒと共に、縦に延びる縁（以下、連続縁と呼ぶ。）を構成する。収容部７５０とシート本体部７６０とは、これらの左右の連続縁が近づいて筒状の形態を成し、前腕まわりを覆う。
【０１２０】
シート本体部７６０は、左右の連続縁にファスナ７７０を備え、このファスナ７７０は、連続縁の全長に亘って設けられ、また左右の連続縁を高い部位から順に留めるように設けられている。なお、ジッパー型のファスナ７７０に代えて、ボタンやスナップなどの留め具を用いてもよし、留め具で左右の連続縁を留める方向は低い位置から高い位置へ向けてでもよい。
【０１２１】
シート本体部７６０は、ファスナ７７０で左右の連続縁を留めた状態で、前腕の形に合わせて、下方に絞れた筒型の形態を成すよう、上縁部７６０Ｕが下縁部７６０Ｄより寸法を小さく設定されている。ファスナで筒型の形態を成すシート本体部７６０では、シート本体部７６０の内、下端７６０Ｄ側が取付部２５１として機能するよう、下縁部７６０Ｄ側の開口が前節より小さくなるように構成されており、シート本体部７６０の下縁部７６０Ｄが、前節の上の括れた部位周りに設けられる。なお、シート本体部７６０は、縦の寸法が長く設定されており、下縁部７６０Ｄが前節より低い位置にある場合には下から折り畳んで縦の寸法を調節する。
【０１２２】
加圧シート１０Ｃは、これと別に構成された収容部７５０に代えて、上記の図６（ａ）に示す加圧シート１０Ａのシート部材７０のように、シート本体部７６０の内側で上縁部７６０Ｕに沿って上記加圧当接部材７４０を設けて空気袋１５０を入れる空間を構成してもよいし、シート本体部７６０の上縁部７６０Ｕ側を折り返して空気袋１５０を入れる空間を構成してもよい。
【０１２３】
空気袋１５０は、第１実施形態のベルト本体１１０と同様に、一方の面が収容部７５０の表地７５１に当たるよう、また他方の面が裏地７５２に当たるよう、収容部７５０の内部に設けられている。空気袋１５０の口部１５３が、図１３（ａ）に示すように、収容部７５０に設けられた通し穴７５１から外側に現れ、一点鎖線で示す空気供給部４０や計測器５０と連結される。加圧シート１０Ｃでは、収容部７５０内の空気袋１５０を支持するよう、取付部２５１から上方へ延びた複数の縦部材２５２を備えている。
【０１２４】
縦部材２５２は、例えば厚み数ミリメートルで細幅に形成された樹脂製の板片であり、下端がシート本体部７６０に支えられている。各縦部材２５２は、上端が収容部７５０の下に設けられて、収容部７５０の下方への移動を規制する。縦部材２５２は、剛性が高く一定の形態だけを成すものに限らず、撓むことができるものでもよい。各縦部材２５２は、前腕の周りで互いに距離を置いて設けられている。
【０１２５】
図１４（ｃ）は縦部材２５２の長手方向の途中の部位を示す斜視図であり、縦部材２５２は上部２５２Ａと下部２５２Ｂとに分離することができるように構成されており、上部２５２Ａと下部２５２Ｂの端部が合わさる面に面ファスナ２５２Ｃなどの固定部材を設けている。
【０１２６】
シート本体部７６０は、図１３（ａ）に示すように縦部材２５２の上部２５２Ａと下部２５２Ｂとを入れる収容部を、外側の面の上と下に設けている（以下、上収容部７８０Ａ、下収容部７８０Ｂと呼ぶ。）。上収容部７８０Ａは、図１４の（ａ）と（ｂ）とに示すように帯状の布地をシート本体部７６０の外側の面に合わせて布地の一部の縁を除いて周縁を縫合して、ポケットとして構成されている。上収容部７８０Ａは、ポケットの口が下を向いて開くよう設けられていると共に、口から収容部７５０の下までに亘って縦部材２５２の上部２５２Ａを入れる空間が縦に延びている。
【０１２７】
下収容部７８０Ｂも、シート本体部７６０に布地を縫合して形成されており、上収容部７８０Ａから下方側に距離を置いて設けられている。下収容部７８０Ｂは、ポケットの口が上を向いて開くよう設けられていると共に、口からシート本体部７６０の下縁部７６０Ｄまでに亘って縦部材２５２の下部２５２Ｂを入れる空間が縦に延びている。
【０１２８】
上収容部７８０Ａと下収容部７８０Ｂとが、縦に並ぶよう設けられており、縦部材２５２の上部２５２Ａと下部２５２Ｂが連なって縦に延びた姿勢を維持する。縦部材２５２の上部２５２Ａと下部２５２Ｂは、面ファスナ２５２Ｃで合わさる端部側が上収容部７８０Ａと下収容部７８０Ｂの口より外に現れるようシート本体部７６０に設けられる。縦部材２５２の長さの調節に対応するよう、下収容部７８０Ｂが、シート本体部７６０と共に折り畳まれて、縦部材２５２の下部２５２Ｂを入れる空間の大きさを変えることができる。縦部材２５２を入れる収容部は、上収容部７８０Ａと下収容部７８０Ｂとの二つに分けずに、縦部材２５２の全体を収めるように構成されてもよい。
【０１２９】
（使用方法）
先ず、加圧シート１０Ｃの収容部７５０を加圧部位Ｐ１に合わせる。収容部７５０を前腕まわりに一周させて左縁部７５０Ｌと右縁部７５０Ｒとを近づけた状態で、ファスナ７７０で留めてリング状の形にかえる。これに続けて、シート本体部７６０側の左縁部７６０Ｌと右縁部７６０Ｒとを高い部位から低い部位へつなぎ、シート本体部７６０で前腕のまわりを覆う。収容部７５０やシート本体部７６０がストレッチ素材等で構成されていれば、収容部７５０やシート本体部７６０を前腕の周囲の方向へ引っ張り、収容部７５０やシート本体部７６０が伸びた状態で装着して前腕に密着させる。また、前腕を覆う際には、シート本体部７６０の下端７６０Ｄ側で取付部２５１を構成する。図１５（ａ）に示すようにシート本体部７６０を下縁部７６０Ｄまで広げて利用してもよいが、シート本体部７６０が前節まで覆ってしまう場合には図１５（ｂ）に示すようにシート本体部７６０の下を折り畳んで長さを調節する。さらに図１４（ｃ）に示す縦部材２５２の上部２５２Ａと下部２５２Ｂとの重なる範囲ｗを調整して、各縦部材２５２がリング状を成す取付部２５１から収容部７５０まで立ち上がるよう、上部２５２Ａと下部２５２Ｂの重なる範囲ｗを変えて、長さの調節を行う。
【０１３０】
次に、加圧シート１０Ｃに空気供給部４０と計測部５０とを取り付けて、空気袋１５０を所定の圧力に調整する。その後、空気供給部４０と計測部５０とを加圧ベルト１０から外し、空気袋１５０の口部１５３をクリップや栓を兼ねたコネクター６１などで塞いで膨張させた状態で、馬の前肢を加圧して、トレーニングを行うことができる。
【０１３１】
加圧用具４Ａでは、保持部材として加圧保持部２５（取付部２５１と縦部材２５２）を備えることで、第１実施形態と同様に、加圧シート１０Ｃが外れて落下してしまう事態を防止することができる。さらに、加圧用具４Ａでは、保持部材が加圧シート１０Ｃに設けられており、加圧部位Ｐ１を加圧する収容部７５０の装着と共にこれを保持する保持部材を前腕に取り付ける作業を行うので、第１実施形態の加圧用具１で行うような、肢から離れた背中側へ保持用ベルト２０を掛ける作業を省くことができる。
【０１３２】
本発明の第４実施形態の加圧用具４などに用いる加圧部材は、上記のものに限るものではない。例えば、図１６で、（ａ）は本発明の第４実施形態の他の加圧ベルト１０Ｄを広げた状態の平面図であり、（ｂ）は加圧ベルト１０Ｄを広げた状態の底面図であり、（ｃ）は加圧ベルト１０Ｄをリング状に形を変えた状態の斜視図である。加圧ベルト１０Ｄは、第１実施形態の加圧ベルト１０と比べて、保持用ベルト２０との連結用のＤ環３１を備えずに構成されている。第１実施形態の加圧ベルト１０と同じ構成には同じ符号を付して、それらの説明を省略する。
【０１３３】
図１７（ａ）は図１６のＡ−Ａ線に沿ったベルト本体１１０の断面図であり、ベルト本体１１０は、内部の空間に空気袋１５０を収容している。空気袋１５０は、図１７に示すように平たく形成されており、空気供給部４０から送られる空気によって膨張し、また空気が抜けて平たい形に縮んで戻るように構成されている。空気袋１５０の一方の面１５１が表地１１１に当たるよう、また他方の面１５２が裏地１１２に当たるよう、ベルト本体１１０の内部に設けられている。
【０１３４】
空気袋１５０は、図１７（ｂ）に示すように、内部の空間に伸縮自在に形成された弾性部材１５５を備えていてもよい。弾性部材１５５は、空気袋１５０を内部から膨らませるよう、例えばウレタンなどで高反発のスポンジとして構成されている。
【０１３５】
図１８（ａ）は図１６（ａ）の加圧ベルト１０Ｄの一方の端部側を拡大した平面図である。ベルト本体１１０は、環状部材１３０を縁１１０Ｃに寄せて設けている。環状部材１３０は、矩形に開いた開口１３１まわりに枠状に形成されており、長手方向を縁１１０Ｃに沿わせてベルト本体１１０の外側に設けられている。
【０１３６】
ベルト本体１１０は、環状部材１３０を取り付ける一方の端部に、補強用の布（以下、補強布と呼ぶ。）１６０を設けている。図１８（ｂ）は図１８（ａ）のＢ−Ｂ線に沿った加圧ベルト１０Ｄの断面図であり、補強布１６０は、ベルト本体１１０の長い一方の縁１１０Ａから他方の縁１１０Ｂまでに亘ってベルト本体１１０の外側の面に設けられており、さらに短い縁１１０Ｃから長手の中間部側へ数ｃｍまで広がる部分を覆うよう、表地１１１に縫合されている。
【０１３７】
環状部材１３０は、図１８（ａ）で一点鎖線で表す一方の長い枠部分１３０Ａを環用取付布１６１で包み、この環用取付布１６１の両端１６１Ａ，１６１Ｂを合せて補強布１６０に重ねた状態で、表地１１１と共に縫合してベルト本体１１０に取り付けられている。なお、環状部材１３０の材料は、限定されるものではないが、好ましくは合成樹脂で構成する。
【０１３８】
図１９（ａ）は図１６（ａ）の加圧ベルト１０Ｄの他方の端部側を拡大した平面図であり、サブベルト１２０が設けられている。図１９（ｂ）は図１９（ａ）のＣ−Ｃ線に沿った加圧ベルト１０Ｄの断面図であり、サブベルト１２０の取付部１２０Ａがベルト本体１１０の表地１１１に重なり、さらに補強を兼ねたサブベルト用取付布１６２がサブベルト１２０と表地１１１とに被さった状態で、縫合されている。なお、図１９（ａ）では取付部１２０Ａを一点鎖線で表している。
【０１３９】
図１９（ｃ）は図１９（ａ）のＤ−Ｄ線に沿った加圧ベルト１０Ｄの断面図である。サブベルト１２０は、取付部１２０Ａを除いて、図１９（ｃ）に示すようにベルト本体１１０に取り付けられておらず、自由に動かすことができ、加圧ベルト１０Ｄを装着する際に環状部材１３０に通した後に折り返した先端側を環状部材１３０より取付部側に重ねて用いられる。
【０１４０】
加圧ベルト１０Ｄは、帯状でベルト本体１１０より短く形成されていて、長手方向の一方の縁側をベルト本体１１０の外側で他方の縁から距離を置いた箇所に取り付けられており、さらにこの取付部を除く他の部分がベルト本体１１０の他方の縁側へ延ばすことができるサブベルト１２０と、ベルト本体１１０が加圧部位まわりにリング状の形を成した状態で、環状部材１３０で折り返したサブベルト１２０の先端側をサブベルト１２０の環状部材１３０より取付部側に固定して、加圧ベルト１２０を加圧部位に装着した状態を維持する固定部材と、を備えている。
【０１４１】
これにより、加圧ベルト１０Ｄが加圧部位まわりに装着した状態で、前肢の動きに応じて加圧ベルト１０Ｄの一部を伸縮させて、トレーニング等を行うことができる。例えば、馬を歩行させながら、前肢を加圧ベルト１０Ｄで加圧することができる。
【０１４２】
図２０は第４実施形態の他の加圧ベルト１０Ｅを示す斜視図である。加圧ベルト１０Ｅは、前述の加圧ベルト１０Ｄと異なり、サブベルト１２０の内側の面に、目盛り１２１を備えている。目盛り１２１は、幅方向に延びた複数の短い線が等間隔に長手方向に並ぶよう、例えば印刷されて構成されている。加圧ベルト１０Ｅによれば、環状部材１３０の開口１３１から引き出すベルトの長さを目盛り１２１で確認することができ、次回の馬のトレーニングの際に前回のトレーニング時の縛り具合を再現することができる。これにより、効率良く馬のトレーニングを繰り返し行うことができる。
【０１４３】
図２１は第４実施形態の他の加圧ベルト１０Ｆを示す斜視図である。加圧ベルト１０Ｆは、前述の加圧ベルト１０Ｄの構成に加えて、ベルト本体１１０がリング状に形を変えた状態で外側に設けられる環状部材１３０を覆うカバー部材１７０を備えている。カバー部材１７０は、ベルト本体１１０の一方の端部で、長手方向と直交する方向へそれぞれ延びたカバー１７１，１７２から構成されている。
【０１４４】
このようなカバー部材１７０は、保持部材を構成する縦部材２５２の上端側に設けられて、ベルト本体１０の一部を巻くように取り付けられて、空気袋１５０を支持するように構成してもよい。
【０１４５】
肢側に設けられる保持部材は、加圧する部位より低い位置にある関節に掛かるようにして取り付けることで、後肢であれば、飛節によってリング状の取付部の落下を防止し、この取付部から延びた縦部材によって加圧部材を保持して下腿を加圧する。
また、本発明の加圧ベルト１０Ｄ〜１０Ｆなどを備えた加圧用具は、前腕や下腿に限らず、前肢であれば腕節より低い部位を加圧するよう装着したり、後肢であれば飛節より低い部位を加圧するように、関節とその隣りの関節との間に装着して利用してもよい。
【符号の説明】
【０１４６】
１，１Ａ，１Ｂ，１Ｃ，２，３，４，４Ａ  加圧用具
１０，１０Ｄ，１０Ｅ，１０Ｆ  加圧ベルト
１０Ａ，１０Ｃ        加圧シート
１１０        ベルト本体
１２０        サブベルト
１３０        環状部材
１４０        固定部材
１５０        空気袋
１６０        補強布
１６１        環用取付布
１６２        サブベルト用取付布
１７０        カバー部材
１７１，１７２  カバー
１７３        固定部材
２０          保持用ベルト
２１          胴体掛け部
２５          加圧支持部
２５１        取付部
２５２        縦部材
２５２Ａ      上部
２５２Ｂ      下部
２５３        横部材
３０          連結部材
３１          Ｄ環
３３          フック
４０          空気供給部
４５０        加圧コントローラー
５０          計測部
７０          シート部材
７００        シート本体部
７２０        固定部材
７３０        捲れ防止部材
７４０        加圧当接部材
７５０        収容部
７６０        シート本体部
７８０Ａ      上収容部
７８０Ｂ      下収容部
８０          ループ部材
８１          線状部
８２          ループ用連結部
【図１】
2017209107.tif 000004
【図２】
2017209107.tif 000005
【図３】
2017209107.tif 000006
【図４】
2017209107.tif 000007
【図５】
2017209107.tif 000008
【図６】
2017209107.tif 000009
【図７】
2017209107.tif 000010
【図８】
2017209107.tif 000011
【図９】
2017209107.tif 000012
【図１０】
2017209107.tif 000013
【図１１】
2017209107.tif 000014
【図１２】
2017209107.tif 000015
【図１３】
2017209107.tif 000016
【図１４】
2017209107.tif 000017
【図１５】
2017209107.tif 000018
【図１６】
2017209107.tif 000019
【図１７】
2017209107.tif 000020
【図１８】
2017209107.tif 000021
【図１９】
2017209107.tif 000022
【図２０】
2017209107.tif 000023
【図２１】
2017209107.tif 000024
【図２２】
2017209107.tif 000025